【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１位置と第２位置との間で移動可能な可動体と、
第１発光手段と第２発光手段とを含む発光手段と、
前記発光手段からの光が端面から入射されることにより演出表示を行うことが可能な導光板と、
前記導光板を取付位置に保持するための保持体と、
前記導光板が取付けられる被取付部と、
を備え、
前記保持体は、前記導光板を一面側と他面側とから挟み込むように前記取付位置に保持可能であり、前記導光板と対向する位置に凹凸部を有し、
前記導光板を前記保持体により保持した状態において、前記凹凸部における凸部と前記導光板との間に隙間が設けられ、
前記被取付部は、前記発光手段に対する前記導光板の位置決め用のボスとして、第１位置決め用ボスと第２位置決め用ボスとを含む複数の位置決め用ボスを有し、
前記導光板は、前記第１位置決め用ボスが挿入可能な第１挿入部と、前記第２位置決め用ボスが挿入可能な第２挿入部とを含む複数の挿入部を有し、
前記第２位置決め用ボスと前記第２挿入部とは、前記導光板を前記被取付部に取付けた状態において、前記第２位置決め用ボスと前記第２挿入部との間に生じる隙間が前記第１位置決め用ボスと前記第１挿入部との間に生じる隙間よりも大きく、前記端面に平行または略平行な特定方向への前記導光板の移動を許容する一方で該特定方向以外の方向への前記導光板の移動を規制するように設けられ、
前記導光板は、
前記第１発光手段からの光が入射される第１端面と、前記第２発光手段からの光が入射される第２端面と、を有し、
前記第１端面から光が入射されることにより第１演出表示を行い、前記第２端面から光が入射されることにより第２演出表示を行うことが可能であり、
前記第１演出表示又は前記第２演出表示として、前記第２位置に位置する可動体を装飾する演出表示を行うことが可能であり、
前記第１挿入部と前記第２挿入部とは、前記第１挿入部と前記第２挿入部とを結ぶ直線が前記第１端面と平行または略平行となるように設けられている
ことを特徴とする遊技機。
【請求項２】
遊技が可能な遊技機であって、
第１位置と第２位置との間で移動可能な可動体と、
発光手段と、
前記発光手段からの光が端面から入射されることにより演出表示を行うことが可能な導光板と、
前記導光板を取付位置に保持するための保持体と、
前記導光板が取付けられる被取付部と、
を備え、
前記導光板は、前記第２位置に位置する可動体を装飾する演出表示を行うことが可能であり、
前記保持体は、前記導光板を一面側と他面側とから挟み込むように前記取付位置に保持可能であり、前記導光板と対向する位置に凹凸部を有し、
前記導光板を前記保持体により保持した状態において、前記凹凸部における凸部と前記導光板との間に隙間が設けられ、
前記被取付部は、前記発光手段に対する前記導光板の位置決め用のボスとして、第１位置決め用ボスと第２位置決め用ボスとを含む複数の位置決め用ボスを有し、
前記導光板は、前記第１位置決め用ボスが挿入可能な第１挿入部と、前記第２位置決め用ボスが挿入可能な第２挿入部とを含む複数の挿入部を有し、
前記第２位置決め用ボスと前記第２挿入部とは、前記導光板を前記被取付部に取付けた状態において、前記第２位置決め用ボスと前記第２挿入部との間に生じる隙間が前記第１位置決め用ボスと前記第１挿入部との間に生じる隙間よりも大きく、前記端面に平行または略平行な特定方向への前記導光板の移動を許容する一方で該特定方向以外の方向への前記導光板の移動を規制するように設けられ、
前記複数の位置決め用ボスは、前記発光手段からの光が入射する前記導光板の前記端面と反対側に設けられる第３位置決め用ボスを有し、
前記複数の挿入部は、前記第３位置決め用ボスが挿入可能な第３挿入部を有し、
前記導光板を前記被取付部に取付けた状態において、前記第３位置決め用ボスと前記第３挿入部との間に生じる隙間が前記第１位置決め用ボスと前記第１挿入部との間に生じる隙間より大きい
ことを特徴とする遊技機。
【手続補正２】
【補正対象書類名】明細書
【補正対象項目名】０００７
【補正方法】変更
【補正の内容】
【０００７】
前記課題を解決するために、手段Ａの遊技機は、
遊技が可能な遊技機であって、
第１位置と第２位置との間で移動可能な可動体と、
第１発光手段と第２発光手段とを含む発光手段と、
前記発光手段からの光が端面から入射されることにより演出表示を行うことが可能な導光板と、
前記導光板を取付位置に保持するための保持体と、
前記導光板が取付けられる被取付部と、
を備え、
前記保持体は、前記導光板を一面側と他面側とから挟み込むように前記取付位置に保持可能であり、前記導光板と対向する位置に凹凸部を有し、
前記導光板を前記保持体により保持した状態において、前記凹凸部における凸部と前記導光板との間に隙間が設けられ、
前記被取付部は、前記発光手段に対する前記導光板の位置決め用のボスとして、第１位置決め用ボスと第２位置決め用ボスとを含む複数の位置決め用ボスを有し、
前記導光板は、前記第１位置決め用ボスが挿入可能な第１挿入部と、前記第２位置決め用ボスが挿入可能な第２挿入部とを含む複数の挿入部を有し、
前記第２位置決め用ボスと前記第２挿入部とは、前記導光板を前記被取付部に取付けた状態において、前記第２位置決め用ボスと前記第２挿入部との間に生じる隙間が前記第１位置決め用ボスと前記第１挿入部との間に生じる隙間よりも大きく、前記端面に平行または略平行な特定方向への前記導光板の移動を許容する一方で該特定方向以外の方向への前記導光板の移動を規制するように設けられ、
前記導光板は、
前記第１発光手段からの光が入射される第１端面と、前記第２発光手段からの光が入射される第２端面と、を有し、
前記第１端面から光が入射されることにより第１演出表示を行い、前記第２端面から光が入射されることにより第２演出表示を行うことが可能であり、
前記第１演出表示又は前記第２演出表示として、前記第２位置に位置する可動体を装飾する演出表示を行うことが可能であり、
前記第１挿入部と前記第２挿入部とは、前記第１挿入部と前記第２挿入部とを結ぶ直線が前記第１端面と平行または略平行となるように設けられている
ことを特徴としている。
前記課題を解決するために、手段Ｂの遊技機は、
遊技が可能な遊技機であって、
第１位置と第２位置との間で移動可能な可動体と、
発光手段と、
前記発光手段からの光が端面から入射されることにより演出表示を行うことが可能な導光板と、
前記導光板を取付位置に保持するための保持体と、
前記導光板が取付けられる被取付部と、
を備え、
前記導光板は、前記第２位置に位置する可動体を装飾する演出表示を行うことが可能であり、
前記保持体は、前記導光板を一面側と他面側とから挟み込むように前記取付位置に保持可能であり、前記導光板と対向する位置に凹凸部を有し、
前記導光板を前記保持体により保持した状態において、前記凹凸部における凸部と前記導光板との間に隙間が設けられ、
前記被取付部は、前記発光手段に対する前記導光板の位置決め用のボスとして、第１位置決め用ボスと第２位置決め用ボスとを含む複数の位置決め用ボスを有し、
前記導光板は、前記第１位置決め用ボスが挿入可能な第１挿入部と、前記第２位置決め用ボスが挿入可能な第２挿入部とを含む複数の挿入部を有し、
前記第２位置決め用ボスと前記第２挿入部とは、前記導光板を前記被取付部に取付けた状態において、前記第２位置決め用ボスと前記第２挿入部との間に生じる隙間が前記第１位置決め用ボスと前記第１挿入部との間に生じる隙間よりも大きく、前記端面に平行または略平行な特定方向への前記導光板の移動を許容する一方で該特定方向以外の方向への前記導光板の移動を規制するように設けられ、
前記複数の位置決め用ボスは、前記発光手段からの光が入射する前記導光板の前記端面と反対側に設けられる第３位置決め用ボスを有し、
前記複数の挿入部は、前記第３位置決め用ボスが挿入可能な第３挿入部を有し、
前記導光板を前記被取付部に取付けた状態において、前記第３位置決め用ボスと前記第３挿入部との間に生じる隙間が前記第１位置決め用ボスと前記第１挿入部との間に生じる隙間より大きい
ことを特徴としている。
さらに、手段１の遊技機は、
遊技が可能な遊技機（例えば、パチンコ遊技機１）であって、
発光手段（例えば、第１導光板ＬＥＤ５１２，５１７、第２導光板ＬＥＤ５２２）と、
前記発光手段からの光が端面（例えば、上端面５１１Ａ，５２１Ａ、左端面５１１Ｂ）から入射されることにより演出表示（発光表示）を行うことが可能な導光板（例えば、第１導光板５１１、第２導光板５２１）と、
前記導光板を取付位置（例えば、前取付位置、後取付位置）に保持するための保持体（例えば、前保持部材５０３，中保持部材５０４，後保持部材５０５）と、
を備え、
前記保持体は、前記導光板を一面側と他面側とから挟み込むように前記取付位置に保持可能であり、
前記導光板を前記保持体により保持した状態において、前記導光板と前記保持体との間に隙間（例えば、隙間Ｓ２０，Ｓ２１，Ｓ２２）が設けられる（図８、図１７、図２１参照）
ことを特徴としている。
この特徴によれば、導光板の熱膨張に対し好適に対応できる。
【手続補正３】
【補正対象書類名】明細書
【補正対象項目名】０００８
【補正方法】変更
【補正の内容】
【０００８】
手段２の遊技機は、手段１に記載の遊技機であって、
前記導光板と前記保持体との間の隙間（例えば、隙間Ｓ２０，Ｓ２１，Ｓ２２）は、前記導光板の板厚寸法よりも小さい（図１７、Ｓ２０，Ｓ２１，Ｓ２２＜Ｌ１５）
ことを特徴としている。
この特徴によれば、導光板の熱膨張に対し好適に対応できる。
【手続補正４】
【補正対象書類名】明細書
【補正対象項目名】０００９
【補正方法】変更
【補正の内容】
【０００９】
手段３の遊技機は、手段１または２に記載の遊技機であって、
前記保持体は、第１部材（例えば、中保持部材５０４）と第２部材（例えば、後保持部材５０５）とから構成され、
前記第１部材には、前記発光手段に対する前記導光板の位置決め用ボス（例えば、第３位置決め用ボス５７３Ａ，５７３Ｂ，５４３Ａ，５４３Ｂ）が設けられ、
前記導光板には、前記位置決め用ボスが挿入可能な挿入部（例えば、第３孔部６３３Ａ，６３３Ｂ，６４３Ａ，６４３Ｂ）が設けられ、
前記導光板を前記保持体により保持した状態において、前記位置決め用ボスの突出寸法（例えば、突出寸法Ｌ３０）は、前記導光板と前記保持体との間の隙間（例えば、隙間Ｓ２０，Ｓ２１，Ｓ２２）よりも大きい（図１９、Ｌ３０＞隙間Ｓ２０，Ｓ２１，Ｓ２２）
ことを特徴としている。
この特徴によれば、導光板の熱膨張に対し好適に対応できる。
【手続補正５】
【補正対象書類名】明細書
【補正対象項目名】００１０
【補正方法】変更
【補正の内容】
【００１０】
手段４の遊技機は、手段１〜３のいずれかに記載の遊技機であって、
前記保持体において前記導光板と対向する位置に凹凸部（例えば、凹凸部５４９）が設けられ、
前記導光板を前記保持体により保持した状態において、前記凹凸部における凸部（例えば、凸部５４９Ａ）と前記導光板との間に隙間（例えば、隙間Ｓ２２）が設けられる（図８（Ｂ））
ことを特徴としている。
この特徴によれば、導光板の熱膨張に対し好適に対応できる。